(57)【要約】【課題】大きな臓器を切り出す場合においても、刃の抜け出しや左右上下移動がない病理用トリミングフォルダ−の提供【解決手段】この発明の病理用トリミングフォルダ−は、先端の先細りテ−パ部１に、替刃抜き穴２を有するミクロト−ム替刃３を装着する縦溝４を設け、縦溝４の底部ａに、替刃抜き穴２に嵌合する突起５を設けた本体Ａと、内面ｂに突起５に嵌合する穴６を設け、縦溝４に嵌着可能な締め付け駒Ｂと、本体Ａのテ−パ部１と縦溝４に嵌着させた締め付け駒Ｂ上に被冠され、締め付け駒Ｂを縦溝４に押し込むとともに、縦溝４からの離脱を防止する締め込みキャップＣからなっている。【選択図】  図５
2004257855.tif 000002
【特許請求の範囲】
【請求項１】
先端の先細りテ−パ部（１）に、替刃抜き穴（２）を有するミクロト−ム替刃（３）の刃幅（ｗ）よりも若干広い幅（Ｗ）の縦溝（４）を設け、該縦溝（４）の底部（ａ）に、前記ミクロト−ム替刃（３）の替刃抜き穴（２）に嵌合する突起（５）を設けた本体（Ａ）と、内面（ｂ）に前記突起（５）に嵌合する穴（６）を設け、前記縦溝（４）に嵌着可能な略蒲鉾状の締め付け駒（Ｂ）と、前記本体（Ａ）のテ−パ部（１）と前記縦溝（４）に嵌着させた前記締め付け駒（Ｂ）上に被冠され、該締め付け駒（Ｂ）を前記縦溝（４）に押し込むとともに、該縦溝（４）からの離脱を防止するための筒状の締め込みキャップ（Ｃ）とからなることを特徴とする病理用トリミングフォルダ−
【発明の詳細な説明】
【０００１】
【発明の属する技術分野】
この発明は、病理用トリミングフォルダ−に関するものである。
【０００２】
【従来の技術】
病理組織標本を作製する過程においては、切り出し、包理、薄切、染色、封入という工程を経るが、病理用トリミングフルダ−は切り出し工程において使用されるものである。
【０００３】
切り出し工程とは、病理組織標本を作製する際に、ホルマリン等の固定液に浸漬した臓器を適当な大きさに切り出す工程であり、その際には、刃幅の狭い刃が使用され、従来、薄切工程において使用するミクロト−ムの替刃の使用済みのものが、切り出し工程において再利用されている。
【０００４】
使用済みのミクロト−ム替刃用のフォルダ−としては、刃が左右に動かないように刃を挟み付ける構造のものや把持力を有するスライド溝に刃を滑り込ませて装着する構造のものが知られている（例えば、非特許文献１参照。）。
【０００５】
しかし、大きい臓器を切り出す場合、フォルダ−に刃の負荷がかかり、フォルダ−から刃が出てしまったり、刃が上方へ動いてしまうという問題点があった。
【０００６】
【非特許文献１】
フェザ−安全剃刀株式会社製作、フェザ−メディカル製品カタログ、Ｎｏ．３、替刃式トリミングナイフ・ハンドル
【０００７】
【発明が解決しようとする課題】
この発明は、従来の技術で記述した問題点を解消するためになされたもので、大きな臓器を切り出す場合においても、刃の抜け出しや左右上下移動がない病理用トリミングフォルダ−の提供を目的とするものである。
【０００８】
【課題を解決するための手段】
この発明の病理用トリミングフォルダ−は、先端の先細りテ−パ部に、替刃抜き穴を有するミクロト−ム替刃の刃幅よりも若干広い幅の縦溝を設け、該縦溝の底部に、前記ミクロト−ム替刃の替刃抜き穴に嵌合する突起を設けた本体と、内面に前記突起に嵌合する穴を設け、前記縦溝に嵌着可能な略蒲鉾状の締め付け駒と、前記本体のテ−パ部と前記縦溝に嵌着させた前記締め付け駒上に被冠され、該締め付け駒を前記縦溝に押し込むとともに、該縦溝からの離脱を防止するための筒状の締め込みキャップとからなることを特徴とするものである。
【０００９】
【発明の実施の形態】
この発明の実施の形態の一例を図面を参照しながら説明する。図１示すように、本体Ａは、先端の先細りテ−パ部１に、替刃抜き穴２を有するミクロト−ム替刃３の刃幅ｗよりも若干広い幅Ｗの縦溝４を設け、縦溝４の底部ａに、ミクロト−ム替刃３の替刃抜き穴２に嵌合する突起５を設けている。
【００１０】
したがって、縦溝４の底部ａの後端に、ミクロト−ム替刃３の片端を当接して、ミクロト−ム替刃３を縦溝４に装着すると、ミクロト−ム替刃３の替刃抜き穴２が突起５に嵌合し、前後の進退が拘束されるようになっている。
【００１１】
略蒲鉾状の締め付け駒Ｂは、図３に示すように、内面ｂに、縦溝４の底部ａの突起５に嵌合する穴６を設け、縦溝４に嵌着可能に構成されている。
【００１２】
したがって、縦溝４にミクロト−ム替刃３を装着したのち、締め付け駒Ｂを縦溝４に嵌着させると、縦溝４の底部ａの突起５に、締め付け駒Ｂの穴６が嵌合するようになっている。この状態では、締め付け駒Ｂは、縦溝４からの離脱を完全に拘束されていない。
【００１３】
締め込みキャップＣは、図４に示すように、筒状に形成され、図５に示すように、本体Ａのテ−パ部１と縦溝４に嵌着させた締め付け駒Ｂ上に装着したとき、締め付け駒Ｂを縦溝４に押し込むとともに、締め付け駒Ｂの縦溝４からの離脱を防止できるように構成されている。
【００１４】
したがって、図５に示すように、締め込みキャップＣを被せることによって、本体Ａに装着され、締め付け駒Ｂで押圧されたミクロト−ム替刃３の前後左右上下の動きは拘束される。
【００１５】
なお、本体Ａ及び締め付け駒Ｂの材質については、特に限定はないが、本体Ａ及び締め付け駒Ｂは、加工がし易く耐食性と強度を備えたＥＶＡ等のプラスチック樹脂等が適しているが、樫等の固い木質の木や軽いアルミ合金等も適用できる。また、締め込みキャップＣの材についても、特に限定はないが、アルミ合金、亜鉛メッキ鉄材等が適用できる。
【００１６】
実施に際しては、本体Ａの縦溝３の突起５に、使用済みのミクロト−ム替刃３の替刃抜き穴２を嵌合させて、使用済みのミクロト−ム替刃３を縦溝３に装着する。なお、縦溝３の幅Ｗは、ミクロト−ム替刃３の刃幅ｗよりも０．５〜１ｍｍ程度広くなるように設計している。
【００１７】
ついで、ミクロト−ム替刃３の替刃抜き穴２から突出している本体Ａの縦溝３の突起５に、締め付け駒Ｂの穴６を嵌合させて、締め付け駒Ｂを本体Ａの縦溝３に嵌着させる。
【００１８】
ついで、本体Ａのテ−パ部１と縦溝４に嵌着させた締め付け駒Ｂの上に、締め込みキャップＣをきつく差し込み、ミクロト−ム替刃３の本体Ａへの取付作業は終了する。ミクロト−ム替刃３を除去する場合には、上記の手順を逆に行えばよい。
【００１９】
なお、飾り付けとして、本体Ａの後端部を多角形に仕上げたり、中間部に滑り止めの切り込み等を施すことは自由である。
【００２０】
装着がし易いように、締め込みキャップＣの後端部に、滑り止めの刻み目等を施すことは自由である。
【００２１】
【発明の効果】
この発明は上述のように構成されているので、次のような効果を呈する。
▲１▼ミクロト−ム替刃の上下左右前後方向への移動を拘束しているので、大きい臓器を切り出す場合、フォルダ−に刃の負荷がかかっても、フォルダ−から刃が進退したり、上下又は左右に動くという不具合を防止できる。
▲２▼ミクロト−ム替刃の着脱が簡単にできる。
▲３▼構造が簡単であるので、安価に量産ができる。
【図面の簡単な説明】
【図１】発明の一実施例を示す本体の平面図
【図２】ミクロト−ム替刃の一実施例を示す平面図
【図３】締め付け駒の概略斜視図
【図４】締め込みキャップの概略斜視図
【図５】本体にミクロト−ム替刃を装着し、本体の縦溝に締め付け駒を嵌着し、締め込みキャップを差し込んだ状態を示す平面図
【符号の説明】
１  テ−パ部
２  替刃抜き穴
３  ミクロト−ム替刃
４  縦溝
５  突起
６  穴
ａ  縦溝の底部
ｂ  締め付け駒の内面
Ｗ  縦溝の幅
ｗ  ミクロト−ム替刃の刃幅
Ａ  本体
Ｂ  締め付け駒
Ｃ  締め込みキャップ
【図１】
2004257855.tif 000003
【図２】
2004257855.tif 000004
【図３】
2004257855.tif 000005
【図４】
2004257855.tif 000006
【図５】
2004257855.tif 000007